(57)【要約】      （修正有）【課題】ジッパーを口部内にそれぞれ取り付けた主、副収容部を有する複合包装体と、この製造方法を提供する。【解決手段】ロールから繰り出された同一幅の２枚のフィルム間にジッパーテープ８を挟み込むと共に、この２枚のフィルムの上面に、幅が２枚のフィルムよりも小さい３枚目のフィルム１０を繰り出し、この３枚目のフィルムと２枚のフィルム間にジッパーテープ１２を挟み込む、次に、この挟み込んだジッパーテープをそれぞれフィルムの内面にヒートシールする、次に、３枚のフィルムを横断するように一定のピッチでヒートシール４、４ａを行うと共に、ジッパーテープを挿入した反対側においてボトムシール５を行う、ことにより、ジッパー付主収容部６と、この主収容部の上面側にジッパー付の副収容部９を形成する。【選択図】図１
2008230672.tif 000002
【特許請求の範囲】
【請求項１】
ロールから繰り出された同一幅の２枚のフィルム間にジッパーテープを挟み込むと共に、この２枚のフィルムの上面に、幅が前記２枚のフィルムよりも小さい３枚目のフィルムを繰り出し、この３枚目のフィルムと前記２枚のフィルム間にジッパーテープを挟み込む、次に、この挟み込んだジッパーテープをそれぞれフィルムの内面にヒートシールする、次に、前記３枚のフィルムを横断するように一定のピッチでヒートシールを行うと共に、前記ジッパーテープを挿入した反対側においてボトムシールを行う、ことにより、ジッパー付主収容部と、この主収容部の上面側にジッパー付の副収容部を形成する、ことを特徴とするジッパー付複合包装体の製造方法。
【請求項２】
請求項１に記載の製造方法において、副収容部の口部にジッパーテープを挟み込んでヒートシールを行う際に、主収容部側の２枚のフィルム間であって、前記副収容部側に挟み込むジッパーテープが横断する部位に、セパレータを挟み込み、その上で外側からヒートシールバーを当てて副収容部内にジッパーテープを取り付けるジッパー付複合包装体の製造方法。
【請求項３】
請求項１の製造方法において、主収容部側の２枚のフィルムの内面が熱溶着する温度よりも、副収容部側の３枚目のフィルムの内面と、主収容部側の前記３枚目のフィルムの内面とが熱溶着する面の溶着温度が低くなるようにフィルムの材質を決定し、請求項２のセパレータ無しでヒートシールバーを用いて副収容部側の開口部内にジッパーテープを取り付けるジッパー付複合包装体の製造方法。
【請求項４】
口部内にジッパーテープを取り付けて再密封可能に形成された主収容部を形成すると共に、この主収容部の前面に、口部が主収容部の口部よりも下部に位置し、かつこの口部内にジッパーテープを取り付けて再密封可能に形成された副収容部を形成して成るジッパー付複合包装体。
【請求項５】
請求項４の複合包装体において、主収容部側のジッパーテープの上側をヒートシールすると共に、このヒートシール部分とジッパーテープ間の両サイドシール部分に易開封手段を設けて成るジッパー付複合包装体。
【請求項６】
請求項４の主収容部又は副収容部の口部内に逆Ｕ字状に形成されたジッパーテープを取り付けて成るジッパー付複合包装体。
【発明の詳細な説明】
【技術分野】
【０００１】
本発明は、主収容部と副収容部を３枚の樹脂フィルムを用いて段違いに形成すると共に、それぞれの収容部の口部内にジッパーテープを取り付けた複合包装体及びその製造方法に関するものである。
【背景技術】
【０００２】
従来の樹脂フィルム製の包装用袋であって、その口内にジッパーを取り付けて再密封を可能にしたものの場合は、一袋ごとに形成されている。これは、製袋に際し、ジッパーを袋の口部内にヒートシールするためには、所謂三方袋、スタンディング袋、合掌袋、ガゼット等のすべてにおいて、前面と裏面フィルムの間に凹部と凸部を咬合させた状態のジッパーテープ部分をヒートシールして取り付けたのち、袋のサイドシールを行うため、どうしてもサイドシールの部分においてジッパーテープが挟まれた部分の溶融すべき樹脂量が多くなるため、逆にこのヒートシール時間によっては、溶融不足又は溶融過多によりピンホールが発生したりするという問題がある。このため、同一箇所にジッパーテープが位置するように形成した２つの収容部を前後に有する包装体は生産することができないという問題がある。
【０００３】
しかし、商品によっては、２種類のものを一つの袋の形態で販売したい場合がある。例えば、野菜と調味料のようなものである。現在、このような商品の場合は、調味料を小袋に入れて別添したり、一つの袋を半々になるように仕切りシールを行って分けたりしている。
しかし、このような包装方法は、コストがかかり、また、１回で使い切らない場合には、再密封して保管したい場合があり、このような場合には対応できない。
【０００４】
このような２つの収容部を形成した袋の公知例としては、次のようなものがある。
先ず、特開平０８−２１７０９１号公報には、「食品包装方法及び食品包装容器に関し、特に、主食品と味材とを独立して非混合で流通させ、主食品の風味や鮮度を保つことを目的として、食品包装方法及び食品包装容器は、主食品(6) と味材(7) を袋状本体(1) 内に各々独立して非混合の状態で包装することにより、風味等を保って流通させる」内容のものが提案されている。
【０００５】
また、特開平０９−２８６４７０号公報には、「混合用多連袋において、仮接着部の構造、接着性等を改良し、流通時等において各室が区画されているが、使用時において剥離し別種の内容物を混合して使用することができる易開封性仮接着部を有する混合用多連袋を提供するため、外周端部の周辺部に強シ−ル部を設けて袋体を構成し、かつ該袋体に該袋体を二室またはそれ以上に区画する易開封性仮接着部を設け、該易開封性仮接着部により区画した二室またはそれ以上のそれぞれの室に別種の内容物を収納し、使用時に前記の易開封性仮接着部を剥離させて前記の別種の内容物を混合し得る混合用多連袋であり、かつ該多連袋体を構成する積層体の最内層面が、少なくともヒ−トシ−ル面の剥離層と該剥離層の内層のコア層の二層を有するエキ開封性共押しフィルムで構成したことを特徴とする」内容のものが提案されている。
【０００６】
また、特開２００３−１０４３９０号公報には、「二室に分割する袋体において、充填工程及びシール工程を容易に機械化できる包装体を提供するため、袋体１、および袋体１の一面に併設され、上下が開口した筒状体３からなる複合袋体であって、表側シート５や裏側シート７を吸引等により各室を開口して、各成分を混合することなく充填することが出来、容易かつ安価に機械化できると共に、用時には、袋体の口部を同時に、または個別にも開封でき、各室の収容物を同時に、または個別にも取り出すことができ、また、各成分の取り出し忘れもない」という内容のものが提案されている。
しかし、これらの公知例は、すべてジッパー付で再密封可能な複合袋ではないため、いちいち使い切って捨てることになるため、省資源、環境破壊等の観点から好ましくない。
【発明の開示】
【発明が解決しようとする課題】
【０００７】
本発明は、このようなことに鑑みて提供されるものであって、その目的は、複数の収容部を一つの袋に形成すると共に、このそれぞれの収容部の口内に、それぞれジッパーを取り付けて再密封を可能にした複合包装体及びこの製造方法を提供することである。
【課題を解決するための手段】
【０００８】
上記目的を達成するため、請求項１に記載の発明においては、ジッパー付複合包装体の製造方法において、ロールから繰り出された同一幅の２枚のフィルム間にジッパーテープを挟み込むと共に、この２枚のフィルムの上面に、幅が前記２枚のフィルムよりも小さい３枚目のフィルムを繰り出し、この３枚目のフィルムと前記２枚のフィルム間にジッパーテープを挟み込む、次に、この挟み込んだジッパーテープをそれぞれフィルムの内面にヒートシールする、次に、前記３枚のフィルムを横断するように一定のピッチでヒートシールを行うと共に、前記ジッパーテープを挿入した反対側においてボトムシールを行う、ことにより、ジッパー付主収容部と、この主収容部の上面側にジッパー付の副収容部を形成する、ことを特徴とするものである。
【０００９】
更に、請求項２に記載の発明においては、請求項１に記載の製造方法において、副収容部の口部にジッパーテープを挟み込んでヒートシールを行う際に、主収容部側の２枚のフィルム間であって、前記副収容部側に挟み込むジッパーテープが横断する部位に、セパレータを挟み込み、その上で外側からヒートシールバーを当てて副収容部内にジッパーテープを取り付けることを特徴とするものである。
【００１０】
更に、請求項３に記載の発明においては、請求項１の製造方法において、主収容部側の２枚のフィルムの内面が熱溶着する温度よりも、副収容部側の３枚目のフィルムの内面と、主収容部側の前記３枚目のフィルムの内面とが熱溶着する面の溶着温度が低くなるようにフィルムの材質を決定し、請求項２のセパレータ無しでヒートシールバーを用いて副収容部側の開口部内にジッパーテープを取り付けることを特徴とするものである。
【００１１】
更に、請求項４に記載の発明においては、ジッパー付複合包装体において、口部内にジッパーテープを取り付けて再密封可能に形成された主収容部を形成すると共に、この主収容部の前面に、口部が主収容部の口部よりも下部に位置し、かつこの口部内にジッパーテープを取り付けて再密封可能に形成された副収容部を形成して成ることを特徴とするものである。
【００１２】
更に、請求項５に記載の発明においては、請求項４の複合包装体において、主収容部側のジッパーテープの上側をヒートシールすると共に、このヒートシール部分とジッパーテープ間の両サイドシール部分に易開封手段を設けて成ることを特徴とするものである。
【００１３】
更に、請求項６に記載の発明においては、ジッパー付複合包装体において、請求項４の主収容部又は副収容部の口部内に逆Ｕ字状に形成されたジッパーテープを取り付けて成る事を特徴とするものである。
【発明の効果】
【００１４】
１．関連ある２種類の内容物を、一体化された２つのジッパー付収容部を設けた袋に入    れることが出来る為、再密封が可能であると共に、関連ある内容物が一緒に保管、も    しくは移動が煩雑にならず整理が容易である。
２．近年、公共の場所等にはゴミ箱が無く、例えば、内装フイルムで包装された飴、チ    ョコレート、薬、ガム等いらなくなった内装フイルムの捨て場所に困ることが多いが    、この時、本発明の袋であれば、使用済みの内装フィルムを片方の袋に入れておき、    全部使用終わったときにまとめて廃棄することが出来る。
３．関連ある内容物、例えば、薬等を飲むタイミングが異なるとき、本発明の袋に入れ    、服用するタイミングを間違えないように管理することが出来る。
４．公知の製袋技術を応用して製袋できるため、生産性が良く、低コストにより提供で    きる。
【実施例１】
【００１５】
図１及び図２に基づいて、本発明に係る複合包装体の実施例を詳細に説明する。
図１は包装体全体を示し、図２はＡ―Ａ´線断面図を示すもので、符号の１は、包装体全体であって、この包装体１は、積層された複合樹脂フィルムを用いて製袋されているが、以下の説明において、この積層された複合樹脂フィルムを１枚のフィルムと定義して用いる。
上記包装体１は、同一大きさの前面フィルム２と背面フィルム３を両サイドでヒートシール４、４ａを行い、底辺に沿ってボトムシール５を行うことにより、製袋された所謂三方シール袋であって、内部には主収容部６が形成され、この主収容部６の口部７内にはジッパーテープ８がヒートシール方法により取り付けられている。
【００１６】
９は、前記主収容部６を形成している前面フィルム２の前面に、高さの低い３枚目のフィルム１０を前記両サイドシール４、４ａとボトムシール５を行うときに一緒に三方シールされた副収容部であって、この副収容部９の口部１１内にも、ジッパーテープ１２がヒートシール方法により取り付けられていて、主収容部６及び副収容部９ともに、ジッパーテープ８及び１２を用いて再密封が可能である。
１３は、主収容部６内に内容物６ａを充填して密封した密封シール部、１４、１４ａは、この密封シール部１３とジッパーテープ８間において、両サイドシール４、４ａ部分に設けた易開封手段としてのＶノッチである。なお、この易開封手段は、Ｉノッチあるいはマジックカット等と称される公知の手段の何れでもよい。また、両サイドシール４、４ａではなく、いずれか一方であっても良い。
９ａは、副収容部９内に充填された内容物であるが、この副収容部９の口部１１及び（又は）前記主収容部６の口部７を密封する手段として、ジッパーテープを逆Ｕ字状に形成した次のような特許発明（本件出願人所有）のものを用いることができる。
【００１７】
具体的に説明すると、このジッパーテープ２０は、図５に示すように、逆Ｕ字状に形成された一枚のベースフィルム２１の内面に雄条２２と雌条２３が形成されていて、このベース２１の下端２１ａを主、副収容部６、９の口部７、１１内に挿入し、この挿入した部分を口部７、１１内にヒートシールを行うものである。このジッパーテープ２０を用いると、特に、副収容部９側においても密封が可能であり、開封は、Ｚ−Ｚ´部分をカットすることにより達成できる。
なお、このジッパーテープ２０を取り付ける場合には、内容物を充填する前は、ベースフィルム２１の下端２１ａの片方だけをヒートシールして一方を開けておき、ここにホッパー等を挿し込んで内容物を充填し、その後で未シール側をヒートシールする方法をとることになる（特公平６−３１０９７号公報）。
なお、この逆Ｕ字状のジッパー２０の取り付け方法は、特公平６−３７０９７号公報及び特公平５−４２９４５号公報に記載があり、これらの特許発明を本発明の実施化に際して用いることができる。
【００１８】
以上に説明した包装体１のフィルム構成を図３（Ａ）（Ｂ）（Ｃ）に基づいて説明する。
図３において、（Ａ）は、主収容部６を形成するための前面と背面のフィルム２、３は、内面にＣＰＰ＃３０中間にＰＥＴ＃１２、外面にＬＬＤＰＥ＃３０の３層構造のフィルムを用い、副収容部９を形成する３枚目のフィルム１０として、内面にＬＬＤＰＥ＃６０、この外面にＰＥＴ＃１２を複合した例であって、ジッパーテープ８のベース８ａは、ＣＰＰ＃３０に、また、ジッパーテープ１２のベース１２ａは、ＬＬＤＰＥ＃６０とＬＬＤＰＥ＃３０にそれぞれヒートシールされている。
【００１９】
（Ｂ）は、主収容部６の前面フィルム２は両面にＬＬＤＰＥ＃３０を貼り合わせたＰＥＴ＃１２で裏面フィルム３に内面がＬＬＤＰＥ＃６０で、外面にＰＥＴ＃１２を複合したフィルムを用い、副収容部９の３枚目のフィルムを前記（Ａ）の場合と同じ構成としたものである。このフィルム構成でジッパーテープ８、１２を取り付ける場合であって、１ステーションで同時にジッパーテープを取り付ける場合には、セパレーター１５として、例えば、テフロンテープ（登録商標）を主収容部６内であって、副収容部９側のジッパーテープ１２が位置する部位に挿入する。このことにより、主収容部６の前面と背面フィルム（ＬＬＤＰＥ）２、３が溶着するのを防ぐことができる。
但し、このセパレーター１５は、主収容部６の内面のフィルムが、ＬＬＤＰＥよりも溶着温度が高いものが使用されている場合には、不要である。
【００２０】
（Ｃ）は、主収容部６において、前面フィルム２の内面がＣＰＰ＃３０、中間がＰＥＴ＃１２、外面がＬＬＤＰＥ＃３０で、背面フィルム３の内面がＣＰＰ＃３０、外面がＰＥＴ＃１２で、３枚目のフィルム１０の内面がＬＬＤＰＥ＃３０、中間がＰＥＴ＃１２、外面がＣＰＰ＃３０の３層構造の例である。
この場合は、同時にジッパーテープ８、１２をヒートシールしても、主収容部６と副収容部９内の温度差により、（Ｂ）で説明したセパレーター１５が不要の場合である。
【実施例２】
【００２１】
図４は、本発明に係る包装体１の製袋工程を示すもので、主収容部６を形成する前面フィルム２と背面フィルム３に対し、副収容部９を形成する３枚目のフィルム１０は、図のように、下辺（ボトム）側の位置を合わせて３枚同時に繰り出され、ステーションａでそれぞれの間にジッパーテープ８、１２が挟み込まれてこのジッパーテープ８、１２がそれぞれヒートシールされる。次のステーションｂにおいて、底辺に沿ってボトムシール５が行われる。
次のステーションｃにおいて、袋の幅となるピッチにより、サイドシールの２倍のシール幅となるようにヒートシールｃ´が行われる。
次に、ステーションｄにおいて、ヒートシールｃ´の中間Ｘ−Ｘ´にカッターが入れられて一袋ごとに分離され、製品となる。
以上の製袋には、公知のジッパー付袋の製袋技術が応用されている。
【図面の簡単な説明】
【００２２】
【図１】本発明に係る包装体の説明図
【図２】Ａ−Ａ´線断面図
【図３】（Ａ）〜（Ｃ）フィルム構造の説明図
【図４】製袋工程の説明図
【図５】逆Ｕ字状のジッパーテープの取り付け例の説明図
【符号の説明】
【００２３】
１  包装体
２  前面フィルム
３  背面フィルム
４、４ａ  両サイドシール
５  ボトムシール
６  主収容部
７  口部
８  ジッパーテープ
９  副収容部
１０  フィルム
１１  口部
１２  ジッパーテープ
１３  密封シール部
１４、１４a  Ｖノッチ
１５  セパレーター
２０  逆Ｕ字状ジッパーテープ
【図１】
2008230672.tif 000003
【図２】
2008230672.tif 000004
【図３】
2008230672.tif 000005
【図４】
2008230672.tif 000006
【図５】
2008230672.tif 000007